Podtech/llm-jp-corpus-v4-ja_patent huggingface dataset:
【手続補正書】
【提出日】平成22年8月9日(2010.8.9)
【手続補正１】
【補正対象書類名】特許請求の範囲
【補正対象項目名】全文
【補正方法】変更
【補正の内容】
【特許請求の範囲】
【請求項１】
乳製品からのアンギオゲニン富化分画の調製方法であって、該方法は、
（ａ）乳製品をカチオン交換樹脂に接触させることと、
（ｂ）０．３０〜０．３８Ｍ塩化ナトリウム（１．７５〜２．２５％ｗ／ｖ）又はこれのイオン強度等価物の移動相を用いてアンギオゲニン低減化ラクトペルオキシダーゼ分画をカチオン交換カラムから溶出させることと、
（ｃ）移動相を用いてアンギオゲニン富化分画をカチオン交換樹脂から溶出させることと、
（ｄ）溶出させたアンギオゲニン富化分画を回収することと、を含み、前記乳製品は段階（ａ）に先立ち或いは段階（ｃ）の後にカチオン交換クロマトグラフィーに付さない方法。
【請求項２】
前記乳製品は全乳、スキムミルク及びバターミルクからなる群から選択される、請求項１に記載の方法。
【請求項３】
前記カチオン交換樹脂に接触させる乳製品の量は、１６カラム体積〜６００カラム体積である、請求項１又は２に記載の方法。
【請求項４】
前記カチオン交換樹脂に接触させる乳製品の量は、１６カラム体積〜１５０カラム体積である、請求項１又は２に記載の方法。
【請求項５】
前記カチオン交換樹脂に接触させる乳製品の量は、６８カラム体積である、請求項１又は２に記載の方法。
【請求項６】
前記アンギオゲニン低減化ラクトペルオキシダーゼ分画は、０．３４Ｍ塩化ナトリウム（２．０％ｗ／ｖ）又はこれのイオン強度等価物を含み、ｐＨが６．５である移動相を用いて溶出させる、請求項１に記載の方法。
【請求項７】
前記アンギオゲニン富化分画の溶出に先立ち、カチオン交換樹脂を低イオン強度（＜０．３４Ｍの塩又はその等価物）のバッファー又は水で洗うことにより、カラムに残存する乳製品を除去する、請求項１〜６のいずれか一項に記載の方法。
【請求項８】
前記アンギオゲニン富化分画は０．３８〜１．５Ｍ塩化ナトリウム（２．２５〜８．７％ｗ／ｖ）又はこれのイオン強度等価物を含む移動相を用いて溶出させる、請求項１〜７のいずれか一項に記載の方法。
【請求項９】
前記アンギオゲニン富化分画は０．３８〜０．５９Ｍ塩化ナトリウム（２．２５〜３．５％ｗ／ｖ）又はこれのイオン強度等価物を含む移動相を用いて溶出させる、請求項１〜８のいずれか一項に記載の方法。
【請求項１０】
前記アンギオゲニン富化分画は０．４３Ｍ塩化ナトリウム（２．５％ｗ／ｖ）又はこれのイオン強度等価物を含む移動相を用いて溶出させる、請求項１〜９のいずれか一項に記載の方法。
【請求項１１】
前記アンギオゲニン富化分画はｐＨ４．０〜９．０を有する移動相を用いて溶出させる、請求項１〜１０のいずれか一項に記載の方法。
【請求項１２】
前記アンギオゲニン富化分画はｐＨ５．５〜７．５を有する移動相を用いて溶出させる、請求項１〜１１のいずれか一項に記載の方法。
【請求項１３】
前記アンギオゲニン富化分画はｐＨ６．５を有する移動相を用いて溶出させる、請求項１〜１２のいずれか一項に記載の方法。
【請求項１４】
前記カチオン交換樹脂はセファローズビーズを含むものである、請求項１〜１３のいずれか一項に記載の方法。
【請求項１５】
前記セファローズビーズの粒径は４５〜９００μｍである、請求項１４に記載の方法。
【請求項１６】
前記セファローズビーズの粒径は９０〜３００μｍである、請求項１４又は１５に記載の方法。
【請求項１７】
段階（ａ）の間、前記カチオン交換樹脂を流量約６〜９０Ｌ／Ｌ（樹脂）／時に付す、請求項１〜１６のいずれか一項に記載の方法。
【請求項１８】
接触流量は約６〜５０Ｌ／Ｌ（樹脂）／時である、請求項１７に記載の方法。
【請求項１９】
接触流量は約３３Ｌ／Ｌ（樹脂）／時である、請求項１７又は１８に記載の方法。
【請求項２０】
前記方法は連続方法又はバッチ方法である、請求項１〜１９のいずれか一項に記載の方法。
【請求項２１】
前記アンギオゲニン富化分画はアンギオゲニンを２％ｗ／ｗ以上含む、請求項１〜２０のいずれか一項に記載の方法。
【請求項２２】
前記アンギオゲニン富化分画は、組成物中の非アンギオゲニンタンパク質及び／又は塩の量を低減するために更に処理される、請求項１〜２１のいずれか一項に記載の方法。
【請求項２３】
請求項１〜２２のいずれか一項に記載の方法により得られるアンギオゲニン富化分画。
【請求項２４】
請求項２３に記載のアンギオゲニン富化分画を含む食品物質又は栄養補助食品。
【請求項２５】
前記食品物質はスポーツ栄養食又は幼児食サプリメントである請求項２４に記載の食品物質又は栄養補助食品。
【請求項２６】
請求項２３に記載のアンギオゲニン富化分画と、医薬的に許容される担体とを含む医薬組成物。
【請求項２７】
ウイルス、バクテリア又は真菌及びそれらの毒素によって起こされる疾病、或いは血管新生の刺激が必要とされる疾病の治療又は予防のための医薬組成物である請求項２６記載の医薬組成物。
【請求項２８】
ヒト粘膜表面の感染を引き起こす疾患を標的とするための医薬組成物である請求項２６記載の医薬組成物。
【請求項２９】
前記粘膜表面は鼻、目、耳、肺、乳房及び膣からなる群から選択される、請求項２８に記載の医薬組成物。
【手続補正書】
【提出日】平成22年6月8日(2010.6.8)
【手続補正１】
【補正対象書類名】特許請求の範囲
【補正対象項目名】全文
【補正方法】変更
【補正の内容】
【特許請求の範囲】
【請求項１】
患者における心不全を治療する装置であって、
本体と、
前記患者の心房中隔において与えられる孔に前記本体を取り付けるよう適合される取付け手段と、
運搬カテーテルにおけるケーブルとの解放可能な係合に対して適合され、且つ前記ケーブルを前記本体に対して実質的に軸方向中心に位置付けるよう適合される、少なくとも１つの据付け手段と、
少なくとも１つの逆止め弁を中に有する前記本体を通る少なくとも１つの通路と、
を有し、
該通路は、前記据付け手段とは別に（ａｓｉｄｅ  ｆｒｏｍ  ｔｈｅ  ａｔｔａｃｈｍｅｎｔ  ｍｅａｎｓ）実質的に妨げられず、
当該装置は使用時に、前記患者の左心房圧が前記患者の右心房圧を所定の量分上回る際に、前記左心房から前記右心房まで前記通路を通って血液が流れ得るよう前記逆止め弁が開放し、それによって前記左心房圧を低減するよう、方向付けられ、
装置。
【請求項２】
前記少なくとも１つの据付け手段は、前記本体において対称的に位置付けられる、
請求項１記載の装置。
【請求項３】
前記少なくとも１つの据付け手段は、前記カテーテルにおける前記ケーブルの遠位端部に近接する前記本体の側部上に位置付けられる、
請求項２記載の装置。
【請求項４】
前記少なくとも１つの据付け手段は、前記本体に対して接続される１つ又はそれより多くの対称的なストラットを有する、
請求項１記載の装置。
【請求項５】
前記少なくとも１つの据付け手段は、前記カテーテルにおける前記ケーブルの遠位端部に対して離れた前記本体の側部上に位置付けられ、
前記ケーブルは、前記少なくとも１つの据付け手段に係合するよう前記孔及び前記弁を通過する、
請求項４記載の装置。
【請求項６】
前記少なくとも１つの据付け手段は、前記カテーテルの前記ケーブルとのねじ込み式の解放可能な係合に対して適合される、
請求項１乃至５のうちいずれか一項記載の装置。
【請求項７】
前記弁は、ダックビル弁、小葉弁、フラップ弁、ディスク・イン・ケージ型弁、又はボール・イン・ケージ型弁である、
請求項１乃至６のうちいずれか一項記載の装置。
【請求項８】
前記弁は、閉位置に対して付勢される、
請求項７記載の装置。
【請求項９】
前記弁は、前記弁の材料の固有の弾性によって前記閉位置に対して付勢される、
請求項８記載の装置。
【請求項１０】
前記弁は、圧力差の前記所定の量が少なくとも約２ｍｍ  Ｈｇである際に、開放する、
請求項８又は９記載の装置。
【請求項１１】
前記弁は、圧力差の前記所定の量が約５乃至２５ｍｍ  Ｈｇである際に、開放する、
請求項１０記載の装置。
【請求項１２】
前記弁は、圧力差の前記所定の量が約５乃至１５ｍｍ  Ｈｇである際に、開放する、
請求項１１記載の装置。
【請求項１３】
前記本体を通る単一の通路を有する、
請求項１乃至１２のうちいずれか一項記載の装置。
【請求項１４】
前記単一の通路は、前記本体に対して中心に位置決めされる、
請求項１３記載の装置。
【請求項１５】
可撓性である、
請求項１乃至１４のうちいずれか一項記載の装置。
【請求項１６】
変形可能であり得るが、のちにその本来の形状に戻る材料から形成される、
請求項１５記載の装置。
【請求項１７】
ニチノールから形成される、
請求項１６記載の装置。
【請求項１８】
折畳み可能であり、カテーテルを介して埋め込まれるよう適合される、
請求項１乃至１７のうちいずれか一項記載の装置。
【請求項１９】
当該装置は、前記患者の心房中隔において作られる孔を通過することができる寸法まで折畳み可能であり、また、当該装置の少なくとも複数の部分が前記患者の心房中隔における前記孔を通過することができない形状に戻るよう適合される、
請求項１８記載の装置。
【請求項２０】
ニチノールメッシュから形成される、
請求項１９記載の装置。
【手続補正書】
【提出日】平成22年5月17日(2010.5.17)
【手続補正１】
【補正対象書類名】特許請求の範囲
【補正対象項目名】全文
【補正方法】変更
【補正の内容】
【特許請求の範囲】
【請求項１】
画像データ収集デバイスにより収集された組織の前方視円錐状セクションからの表示画像データのためのレンダリングのための装置であって、
前記前方視円錐状セクションからの前記画像データを受信するように構成されたデータ入力ユニットと、
コンピュータにより実行可能な命令を備えたコンピュータ読取可能な媒体を含む画像データ処理ユニットであって、章動の定義を３次元幾何モデルに適用することにより、前記前方視円錐状セクションの章動され投影された３次元幾何モデルを生成するように、および、前記章動され投影された３次元幾何モデルに従って前記画像データをラスタ化して、グラフィカル・ディスプレイで表示するためのラスタ化画像を生成するように構成される画像データ処理ユニットと
を備える装置。
【請求項２】
請求項１に記載の装置であって、前記画像データ処理ユニットは、前記３次元幾何モデルの表面における正確な幾何学的透視図において前記画像データの走査線を適応させる、装置。
【請求項３】
請求項２に記載の装置であって、前記３次元幾何モデルは円錐を備える、装置。
【請求項４】
請求項３に記載の装置であって、前記円錐は、複数のパラメトリック双三次表面パッチにより近似される、装置。
【請求項５】
請求項４に記載の装置であって、前記複数のパラメトリック双三次表面パッチは、エルミート面、ベジエ面、Ｂスプライン面のうちの少なくとも１つを備える、装置。
【請求項６】
請求項３に記載の装置であって、前記円錐は、陰関数の表面式を使用してモデリングされる、装置。
【請求項７】
請求項３に記載の装置であって、前記円錐は、陽関数の表面式を使用してモデリングされる、装置。
【請求項８】
請求項２に記載の装置であって、前記３次元幾何モデルは多面体を備える、装置。
【請求項９】
請求項１に記載の装置であって、前記画像データ処理ユニットは、
３次元幾何モデルを初期設定するように構成された３次元幾何モデル初期設定ユニットと、
投影行列を初期設定するように構成された投影行列初期設定ユニットと、
前記投影行列を使用して前記３次元幾何モデルを投影するように構成された３次元幾何モデル投影ユニットと
を備える、装置。
【請求項１０】
請求項９に記載の装置であって、前記画像データ処理ユニットは、
前記章動の定義に従って章動行列を初期設定するように構成された章動行列初期設定ユニットと、
前記投影行列を使用して前記３次元モデルを投影する前に、前記章動行列を使用して前記３次元幾何モデルの軸を章動させて、章動され投影された３次元幾何モデルを生成するように構成された３次元幾何モデル軸章動ユニットと
を更に備える、装置。
【請求項１１】
請求項１０に記載の装置であって、
前記３次元幾何モデルの前記軸の章動を制御するように構成されたユーザ操作デバイス
を更に備える装置。
【請求項１２】
請求項１０に記載の装置であって、前記画像データ処理ユニットは、
前記章動され投影された３次元幾何モデルに従って前記画像データをラスタ化するように構成された画像データ・ラスタ化ユニット
を更に備える、装置。
【請求項１３】
イメージング・システムであって、請求項１に記載のレンダリングのための装置を備えるイメージング・システム。
【請求項１４】
請求項１３に記載のイメージング・システムであって、ＩＶＵＳシステムを備えるイメージング・システム。
【請求項１５】
表示装置であって、請求項１に記載のレンダリングのための装置を備える表示装置。
【請求項１６】
組織の円錐状前方視セクションを走査して画像を生成するイメージング装置であって、
前方視の向きにおいて回転させられるものであり、信号を送信し、送信された前記信号と、前記信号の遭遇する組織との相互作用に起因する画像データを受信するためのものであるトランスデューサと、
受信された前記画像データを処理する電子回路と、
コンピュータにより実行可能な命令を備えたコンピュータ読取可能な媒体を含む画像データ処理ユニットであって、章動の定義を３次元幾何モデルに適用することにより、前記前方視円錐状セクションの章動され投影された３次元幾何モデルを生成するように、および前記章動され投影された３次元幾何モデルに従って前記画像データをラスタ化して、グラフィカル・ディスプレイで表示するためのラスタ化画像を生成するように構成される画像データ処理ユニットと
を備えるイメージング装置。
【請求項１７】
請求項１６に記載の装置であって、前記３次元幾何モデルは３次元円錐モデルを備える、装置。
【請求項１８】
請求項１７に記載のイメージング装置であって、
インターベンショナル・デバイスを更に備え、前記トランスデューサは、イメージングされている組織上あるいは組織付近で前記インターベンショナル・デバイスが動作する間に前記組織の一部をイメージングするように構成される、
イメージング装置。
【請求項１９】
組織の円錐状前方視セクションから画像データ収集デバイスにより獲得された画像データを表示するための方法であって、
前記円錐状前方視セクションからの前記画像データを受信するステップと、
前記画像データの走査線を、３次元幾何モデルの表面における前記走査線の正確な幾何学的透視図において適応させることにより、前記画像データを表示するステップと
を備え、
前記表示するステップは、前記円錐状前方視セクションの章動され投影された３次元幾何モデルを生成するステップを備え、
前記生成するステップは、前記円錐状前方視セクションに対応する３次元幾何モデルを傾斜させるために章動の定義を適用するステップと、前記章動され投影された３次元幾何モデルに従って前記画像データをラスタ化して、グラフィカル・ディスプレイで表示するためのラスタ化画像を生成するステップとを備える、
方法。
【手続補正書】
【提出日】平成22年9月30日(2010.9.30)
【手続補正１】
【補正対象書類名】特許請求の範囲
【補正対象項目名】全文
【補正方法】変更
【補正の内容】
【特許請求の範囲】
【請求項１】
（ａ）人の鼻及び口を覆ってフィットするように適合し、内面を有するマスク本体と、
（ｂ）ノーズフォームであって、
（ｉ）前方側部、後方側部、及びマスク接触表面であって、前記ノーズフォームはマスク接触表面において前記マスク本体の前記内面に固定されるマスク接触表面と、
（ｉｉ）中央部分と、
（ｉｉｉ）前記中央部分に関して反対側上に対称的に配置される、第１及び第２側部接触部分と、
（ｉｖ）前記中央部分、並びに前記第１及び第２側部接触部分を越えて延びる鼻接触表面であって、長さ方向寸法に直交して前記ノーズフォームを通過する平面に第１及び第２角度αで傾斜している鼻接触表面と、を含むノーズフォームと、を含むレスピレータ。
【請求項２】
前記第１及び第２角度αが、前記ノーズフォームの前記後方側部から、その前記前方側部に延びる方向に開いている、請求項１に記載のレスピレータ。
【手続補正書】
【提出日】平成22年9月27日(2010.9.27)
【手続補正１】
【補正対象書類名】特許請求の範囲
【補正対象項目名】全文
【補正方法】変更
【補正の内容】
【特許請求の範囲】
【請求項１】
（ａ）先端を有するカテーテルシャフトと、
（ｂ）カテーテル側枝と、
（ｃ）前記カテーテルシャフトの先端から延びるカテーテル主枝構成と
を備えるカテーテルアセンブリであって、
前記カテーテル主枝構成が主バルーン及び枝バルーンを備え、該枝バルーンが予め形成されたカテーテル側枝受容部を備え、該枝バルーンは、膨張状態にあっては、主バルーンに対して径方向外側に延び、前記カテーテル側枝は、前記予め形成されたカテーテル側枝受容部を通って延び、カテーテル側枝と枝バルーンを整合させる、カテーテルアセンブリ。
【請求項２】
前記枝バルーンが前記主バルーン部分上に配置される、請求項１に記載のカテーテルアセンブリ。
【請求項３】
前記カテーテル主枝構成が、第１及び第２主枝部分を備え、前記第１主枝部分上には主バルーンが配置され、前記第２主枝部分上には枝バルーンが配置され、第２枝部分の基端が主バルーンの基端の基端側において第１枝部分に固定される、請求項１に記載のカテーテルアセンブリ。
【請求項４】
前記予め形成されたカテーテル側枝受容部が、前記主バルーンから径方向外側に指向する枝バルーンの表面の中央に位置する開口を画定する、請求項１に記載のカテーテルアセンブリ。
【請求項５】
前記枝バルーンが、少なくとも第１及び第２の膨脹可能な部分を備え、該少なくとも第１及び第２の膨張可能な部分は、前記予め形成されたカテーテル側枝受容部の一部を画定する、請求項１に記載のカテーテルアセンブリ。
【請求項６】
前記第１主枝部分が、互いに同軸を有するように延びる膨張管腔及びガイドワイヤ管腔を画定する、請求項３に記載のカテーテルアセンブリ。
【請求項７】
前記第２主枝部分が、枝バルーンの部分の先端側に延びる先端部分を備えるとともに、該先端部分を通って延びる膨張管腔を画定し、該先端部分における膨張管腔の横断面の幅に対する高さの比率が１未満である、請求項３に記載のカテーテルアセンブリ。
【請求項８】
ステントの開放先端及び開放基端の間の位置に配置される側枝開口を有するステントをさらに備え、前記カテーテル側枝の先端部分が前記側枝開口を通って延び、前記拡張可能な部材及び側枝開口が径方向かつ軸方向において整合される、請求項１に記載のカテーテルアセンブリ。
【請求項９】
前記カテーテル主枝が第１及び第２主枝部分を備え、前記主バルーンが前記第１主枝部分上に配置され、前記枝バルーンが前記第２主枝部分上に配置される、請求項１に記載のカテーテルアセンブリ。
【請求項１０】
前記予め形成されたカテーテル側枝受容部が、前記第２主枝部分の内部に少なくとも部分的に画定される、請求項９に記載のカテーテルアセンブリ。
【請求項１１】
前記第２主枝部分が、前記枝バルーンの先端側に延びる先端部分を備え、前記第２主枝部分の先端部分がテーパを有する、請求項９に記載のカテーテルアセンブリ。
【請求項１２】
前記枝バルーンが、第２主枝部分に固定される別個の構成要素として構成される、請求項９に記載のカテーテルアセンブリ。
【請求項１３】
前記枝バルーンが前記第２主枝部分の一部から形成される、請求項９に記載のカテーテルアセンブリ。
【手続補正書】
【提出日】平成22年10月22日(2010.10.22)
【手続補正１】
【補正対象書類名】明細書
【補正対象項目名】発明の名称
【補正方法】変更
【補正の内容】
【発明の名称】パウダー分散装置、その装置および他の装置に使用される構成要素
【手続補正２】
【補正対象書類名】特許請求の範囲
【補正対象項目名】全文
【補正方法】変更
【補正の内容】
【特許請求の範囲】
【請求項１】
容器を支持する支持部と、
出口と、
出口に連絡されているフィードチューブと、
容器の壁部に少なくとも１つの開口を形成するように構成された機構であって、前縁を持つブレードを備えるものと、を有し、
前縁が、ｒｈｏ値が０．１〜０．５の楕円形状前縁である装置。
【請求項２】
機構が、少なくとも１つの開口を形成するときに、容器内に降下し、その後容器から退避するように構成されている請求項１の装置。
【請求項３】
容器が、パウダーを収容した容器であって、
フィードチューブが、パウダーを容器から出口に運ぶように構成されて配置されており、
機構が、容器の壁部に穿孔して該壁部を裂開することにより、少なくとも１つの開口を該壁部に形成するように構成されている請求項１の装置。
【請求項４】
少なくとも１つの開口が、少なくとも１つの円弧形状開口である請求項１の装置。
【請求項５】
フィードチューブ内に配置される穿孔および／または閉塞防止デバイスを有する請求項１の装置。
【請求項６】
穿孔および／閉塞防止デバイスが、少なくとも部分的に回転してフィードチューブの内側表面の閉塞を防止するように構成されて配置されている部材を有する請求項５の装置。
【請求項７】
容器を支持する支持部と、
出口と、
出口に連絡されているフィードチューブと、
自動的にコッキングするように複数の安定姿勢をとる容器インパクトデバイスとを有する装置。
【請求項８】
容器が、パウダーを収容する容器であって、
フィードチューブが、パウダーを容器から装置の出口に運ぶように構成されて配置されている請求項７の装置。
【請求項９】
容器インパクトデバイスが、可動マウント部材を有する請求項７の装置。
【請求項１０】
装置内に容器が挿入されている最中に、または挿入後に、該容器に衝撃を与える少なくとも１つのアームを有する容器インパクトバイス、または、
装置内に容器が挿入されている最中に、または挿入後に、所定量回転して該容器に衝撃を与える容器インパクトデバイスの少なくとも一方である請求項７の装置。
【請求項１１】
容器の壁部に少なくとも１つの開口を形成する機構であって、
支持部と、
支持部に配置された少なくとも１つの突起部材とを有し、
少なくとも１つの突起部材が前縁を持つブレードを備え、
前縁がｒｈｏ値が０．１〜０．５の楕円形状前縁であって、
少なくとも１つの突起部材が、まず容器の壁部に穿孔して次に裂けを伝播するように構成されて配置されている機構。
【請求項１２】
チューブの内側表面からパウダーの残留物を取り除くように構成された閉塞防止デバイスであって、
チューブ内に降下して回転することにより、該チューブの内側表面の閉塞を防止するように構成されて配置されている第１の部分を有し、
第１の部分が、チューブの内側表面に非接触である閉塞防止デバイス。
【請求項１３】
容器を穿孔するように構成されて配置されている第２の部分を有する請求項１２の閉塞防止デバイス。
【請求項１４】
パウダーを噴霧する装置の使用に対応している請求項１２の閉塞防止デバイス。
【請求項１５】
少なくとも部分的に回転するように構成されて配置されている請求項１２の閉塞防止デバイス。
【請求項１６】
容器に衝撃を与える容器インパクトデバイスであって、
支持部と、
支持部から突出した複数のアームとを有し、
複数のアームそれぞれが容器に衝撃を与えるように構成されて配置されている容器インパクトデバイス。
【請求項１７】
ａ）容器を支持する支持部と、出口と、該出口に連絡されているフィードチューブとを有する装置を含み、
また、
ｉ）容器の壁部に少なくとも１つの開口を形成するように構成されて前縁を持つブレードを備え、該前縁がｒｈｏ値が０．１〜０．５の楕円形状前縁である機構、
ｉｉ）フィードチューブ内に永久的に配置された閉塞防止デバイス、
ｉｉｉ）自動的にコッキングするように複数の安定姿勢をとる容器インパクトデバイス、
ｉｖ）第１の対の側部と該第１の対の側部より短い第２の対の側部とを含んで該第１の対の側部に切り欠き部を備える輪郭の容器の該切り欠き部に係合する容器インパクトデバイスの少なくとも１つを含み、
さらに、
ｂ）パウダーを収容して装置に挿入される容器を含む組み合わせ物。
【請求項１８】
容器を支持する支持部と、
出口と、
出口に連絡されている先絞りフィードチューブと、
容器の壁部に少なくとも１つの開口を形成するように構成されて前縁を持つブレードを備え、該前縁がｒｈｏ値が０．１〜０．５の楕円形状前縁である機構とを有する装置。
【請求項１９】
機構が、少なくとも１つの開口を形成するときに、容器内に降下し、続いて退避するように構成されている請求項１８の装置。
【請求項２０】
フィードチューブ内に配置される穿孔および／または閉塞防止デバイスを有する請求項１８の装置。
【請求項２１】
容器インパクトデバイスを有する請求項１８の装置。
【請求項２２】
パウダーを保持するブリスターを含む下側ホイルラミネート部と、下側ホイルラミネート部を覆う上側のホイルラミネート部とを有する容器であって、
第３の側端と直交する２つの側端を備えるリヤ部と、切り欠き部を備える中央部と、先細のフロント部とを有する容器。
【手続補正書】
【提出日】平成22年10月26日(2010.10.26)
【手続補正１】
【補正対象書類名】特許請求の範囲
【補正対象項目名】全文
【補正方法】変更
【補正の内容】
【特許請求の範囲】
【請求項１】
(a)被験体から単離された遺伝物質の試料を得ること、および
(b)治療によって発現する自殺念慮の素因の増大と関連する、該試料における遺伝子型の存在を判定すること、
を含む、治療によって発現する自殺念慮の素因の増大に関係する、試料における遺伝子型の存在を判定するためのインビトロの方法であって、
該遺伝子型が、グルタミン受容体、イオンチャネル型、カイニン酸２(GRIK2)；グルタミン酸受容体イオンチャネル型AMPA3(GRIA3)；およびこれらの組み合わせからなる群から選択される遺伝子の１つ以上の多型によって特徴付けられる、方法。
【請求項２】
治療によって発現する自殺念慮の素因の増大と関連する遺伝子型の存在の該単離された試料における判定が、アレル特異的ハイブリダイゼーション、アレル特異的オリゴヌクレオチドライゲーション、プライマー伸長法、ミニ配列分析、質量分析法、ヘテロ二本鎖分析、一本鎖高次構造多型分析（SSCP）、変性剤濃度勾配ゲル電気泳動（DGGE）、オリゴヌクレオチドマイクロアレイ分析、温度勾配ゲル電気泳動（TGGE）、およびこれらの組み合わせによって多型をインビトロで検出することを含む、請求項１記載の方法。
【請求項３】
遺伝子がGRIK2であり、好ましくは多型がGRIK2のイントロン１内にあり、そしてより好ましくはGRIK2のイントロン１が配列番号：１を含む、請求項１または２記載の方法。
【請求項４】
遺伝子がGRIA3であり、好ましくは多型がGRIA3のイントロン３内にあり、より好ましくはGRIA3のイントロン３が配列番号：２、配列番号：３、または配列番号：１３を含む、請求項１〜３のいずれか１項に記載の方法。
【請求項５】
単離された試料における、治療によって発現する自殺念慮の素因の増大と関連する遺伝子型の存在をインビトロで判定することをさらに含む、請求項１〜４のいずれか１項に記載の方法であって、該遺伝子型が、グルタミン酸受容体、イオンチャネル型、N-メチルD-アスパラギン酸（GRIN）2A；神経栄養性チロシン受容体キナーゼ（NTRK）2；5-ヒドロキシトリプタミン（セロトニン）受容体（HTR）3B、GRIA1；パピリン（PAPLN）；インターロイキン28受容体α（IL28RA）；およびこれらの組み合わせからなる群から選択される遺伝子の１つ以上の多型によって特徴付けられる、方法。
【請求項６】
単離された試料における遺伝子型の存在のインビトロ判定が、配列番号：4、配列番号：5、配列番号：6、配列番号：7、配列番号：8、配列番号：9、配列番号：10、配列番号：11、配列番号：12、またはこれらの組み合わせの存在を検出することを含む、請求項５記載の方法。
【請求項７】
（a）２つ以上の被験体から単離された遺伝物質の試料を得ること、および
（b）治療によって発現する自殺念慮の素因の増大と関連する、単離された試料における遺伝子型の存在を判定すること、
を含む、単離された試料の集団における治療によって発現する自殺念慮の素因の増大と関係する遺伝子型の存在を判定するためのインビトロの方法であって、
該遺伝子型が、グルタミン酸受容体、イオンチャネル型、N-メチルD-アスパラギン酸（GRIN）2A；神経栄養性チロシン受容体キナーゼ（NTRK）2；5-ヒドロキシトリプタミン（セロトニン）受容体（HTR）3B、GRIA1；パピリン（PAPLN）；インターロイキン28受容体α（IL28RA）；およびこれらの組み合わせから選択される遺伝子の１つ以上の多型によって特徴付けられる、方法。
【請求項８】
治療によって発現する自殺念慮の素因の増大と関連する、単離された試料における遺伝子型の存在の判定が、アレル特異的ハイブリダイゼーション、アレル特異的オリゴヌクレオチドライゲーション、プライマー伸長法、ミニ配列分析、質量分析法、ヘテロ二本鎖分析、一本鎖高次構造多型分析（SSCP）、変性剤濃度勾配ゲル電気泳動（DGGE）、オリゴヌクレオチドマイクロアレイ分析、温度勾配ゲル電気泳動（TGGE）、およびこれらの組み合わせによって多型を検出することを含む、請求項７記載の方法。
【請求項９】
遺伝子がGRIN2Aであり、好ましくは多型がGRIN2Aのイントロン３内にあり、より好ましくはGRIN2Aのイントロン３が配列番号：４を含む、請求項７または８記載の方法。
【請求項１０】
遺伝子がNTRK2であり、好ましくは多型がNTRK2のイントロン１４内にあり、より好ましくはNTRK2のイントロン１４が配列番号：５を含む、請求項７〜９のいずれか１項に記載の方法。
【請求項１１】
遺伝子がHTR3Bであり、好ましくは多型がHTR3Bのイントロン６内にあり、より好ましくはHTR3Bのイントロン６が配列番号：６を含む、請求項７〜１０のいずれか１項に記載の方法。
【請求項１２】
遺伝子がGRIA1であり、好ましくは多型がGRIA1のイントロン５内にあり、より好ましくはGRIA1のイントロン５が配列番号：７を含む、請求項７〜１１のいずれか１項に記載の方法。
【請求項１３】
遺伝子がPAPLNであり、好ましくは多型がPAPLNのイントロン１３内にあり、より好ましくはPAPLNのイントロン１３が配列番号：８、または配列番号：９を含む、請求項７〜１２のいずれか１項に記載の方法。
【請求項１４】
多型がIL28RAのエキソン７内にあり、好ましくはIL28RAのエキソン７が配列番号：１０、または配列番号：１１を含み、より好ましくは多型がIL28RAのイントロン４内にあり、そして最も好ましくはIL28RAのイントロン４が配列番号：１２を含む、請求項７〜１３のいずれか１項に記載の方法。
【手続補正書】
【提出日】平成22年10月26日(2010.10.26)
【手続補正１】
【補正対象書類名】特許請求の範囲
【補正対象項目名】全文
【補正方法】変更
【補正の内容】
【特許請求の範囲】
【請求項１】
インフルエンザウイルスのＨ５タンパク質であって、
アミノ酸２２３Ｎおよび改変３２８Ｋ＋を有し、
Ｈ５タンパク質のアミノ酸位置の番号付けは、配列番号１に例示されるアミノ酸位置に従い、
３２８Ｋ＋は、Ｈ５タンパク質のアミノ酸位置３２８に第２リジンを挿入したことを意味するＨ５タンパク質。
【請求項２】
アミノ酸９４Ｎを有する請求項１に記載のＨ５タンパク質。
【請求項３】
アミノ酸１２０Ｎを有する請求項１または２に記載のＨ５タンパク質。
【請求項４】
アミノ酸１５５Ｎを有する請求項１〜３のいずれか１つに記載のＨ５タンパク質。
【請求項５】
以下からなる群から選択されるアミノ酸クラスターの１以上を有する請求項１〜４のいずれか１つに記載のＨ５タンパク質：
ａ．    ａａ  ９３−９５：  ＧＮＦ
ｂ．    ａａ  １２３−１２５：  ＳＤＨ
ｃ．    ａａ  １２８−１３０：  ＳＳＧ
ｄ．    ａａ  １３８−１４０：  ＧＳＳ
ｅ．    ａａ  ２２６−２２８：  ＭＤＦ
ｆ．    ａａ  ２７０−２７２：  ＥＶＥ
ｇ．    ａａ  ３０９−３１１：  ＮＫＬ。
【請求項６】
以下を含むペプチドを含む請求項１〜５のいずれか１つに記載のＨ５タンパク質：
ｉ．      配列番号４；配列番号５または配列番号６のアミノ酸配列；または
ｉｉ．    ｉ）のポリペプチドと少なくとも８５％配列相同性を有し、かつ標準赤血球凝集素抑制アッセイにおける赤血球凝集素抑制を含むペプチド；または
ｉｉｉ．  ｉ）またはｉｉ）のいずれかのペプチドの少なくとも８連続アミノ酸を含み、かつ、標準赤血球凝集素抑制アッセイにおける赤血球凝集素抑制を含むｉ）またはｉｉ）のポリペプチドの一部分；または
ｉｖ．    アミノ酸３６Ｔ、３６Ｋ、８３Ａ、８３Ｔ、８３Ｄ、８６Ａ、８６Ｖ、１２０Ｓ、１５５Ｓ、１５６Ａ、１５６Ｔ、１８９Ｒ、１８９Ｋ、２１２Ｋ、２１２Ｒ、２１２Ｅ、２６３Ａまたは２６３Ｔの１つを有するｉ）、ｉｉ）またはｉｉｉ）のいずれかのペプチド；または
ｖ．      以下からなる群から選択されるアミノ酸クラスターの１以上を有するｉ）、ｉｉ）、ｉｉｉ）またはｉｖ）のいずれかのペプチド：
ａ．    ａａ  ９３−９５：  ＧＮＦ
ｂ．    ａａ  １２３−１２５：  ＳＤＨ
ｃ．    ａａ  １２８−１３０：  ＳＳＧ
ｄ．    ａａ  １３８−１４０：  ＧＳＳ
ｅ．    ａａ  ２２６−２２８：  ＭＤＦ
ｆ．    ａａ  ２７０−２７２：  ＥＶＥ
ｇ．    ａａ  ３０９−３１１：  ＮＫＬ。
【請求項７】
トリインフルエンザウイルスを起源とする請求項１〜６のいずれか１つに記載のＨ５タンパク質。
【請求項８】
配列番号４のアミノ酸配列を含む請求項１〜７のいずれか１つに記載のＨ５タンパク質。
【請求項９】
請求項１〜８のいずれか１つに記載のＨ５タンパク質をコードした核酸分子。
【請求項１０】
請求項９に記載の核酸分子を含むベクター。
【請求項１１】
ａ．請求項１〜８のいずれか１つに記載のＨ５タンパク質、請求項９に記載の核酸分子、または請求項１０に記載のベクター、および
ｂ．医薬的に許容されるキャリアおよび／または賦形剤
を含むワクチン。
【請求項１２】
賦形剤が１以上のアジュバントである請求項１１に記載のワクチン。
【請求項１３】
アジュバントがエマルシゲンベースのアジュバントである請求項１２に記載のワクチン。
【請求項１４】
ワクチンが１以上の抗原を含む請求項１１〜１３のいずれか１つに記載のワクチン。
【請求項１５】
抗原が家禽または哺乳類の病原体の抗原である請求項１４に記載のワクチン。
【請求項１６】
抗原がインフルエンザウイルスのＨ３、Ｈ７またはＨ９である請求項１５に記載のワクチン。
【請求項１７】
請求項１〜８のいずれか１つのＨ５タンパク質を製造する方法であって、以下の工程を含む方法：
ａ．  Ｈ５タンパク質をコードする核酸を単離または増幅する工程、
ｂ．  発現ベクターでＨ５タンパク質をコードする核酸のクローニングをする工程、
ｃ．  Ｈ５タンパク質を発現する工程。
【請求項１８】
発現ベクターが組換えバキュロウイルスである請求項１７に記載の方法。
【請求項１９】
Ｈ５タンパク質が昆虫細胞で発現される請求項１７または１８に記載の方法。
【請求項２０】
請求項１〜８のいずれか１つに記載のＨ５タンパク質を含むワクチンを製造する方法であって、以下の工程を含む方法：
ａ．請求項１〜９のいずれか１つに記載のＨ５タンパク質を得る工程、
ｂ．工程ａ）のＨ５タンパク質を医薬的に許容されるキャリアおよび／または賦形剤と混合する工程。
【請求項２１】
請求項９に記載のＨ５核酸または請求項１０に記載のベクターを含むワクチンを製造する方法であって、以下の工程を含む方法：
ａ．請求項９に記載のＨ５核酸分子または請求項１０に記載のベクターを得る工程、
ｂ．工程ａ）のＨ５核酸分子またはベクターを医薬的に許容されるキャリアおよび／または賦形剤と混合する工程。
【請求項２２】
獣医薬として使用するための請求項１１〜１６のいずれか１つに記載のワクチン。
【請求項２３】
ウイルスインフルエンザによって引き起こされる感染の予防または治療用医薬組成物の調製のための請求項１〜８のいずれか１つに記載のＨ５タンパク質の使用。
【請求項２４】
ウイルスインフルエンザによって引き起こされる感染の予防用または治療用医薬組成物の調製のための請求項９に記載の核酸分子の使用。
【請求項２５】
ウイルスインフルエンザによって引き起こされる感染の予防用または治療用医薬組成物の調製のための請求項１０に記載のベクターの使用。
【請求項２６】
ウイルスインフルエンザ感染が鳥類、ブタまたはヒトインフルエンザウイルスまたはそれらの組合せまたはハイブリッドによって引き起こされる請求項２３〜２５のいずれかに記載の方法。
【請求項２７】
以下を含むキット：
ａ．請求項１〜８のいずれかに１つに記載のＨ５タンパク質、請求項９に記載の核酸分子、請求項１０に記載のベクター、または請求項１１〜１６のいずれか１つに記載のワクチン；および
ｂ．インフルエンザウイルスによって引き起こされる感染の治療または予防のためのａ）のＨ５タンパク質、核酸分子、ベクターまたはワクチンの使用法を記載したパッケージリーフレット。
【請求項２８】
少なくとも１以上の家禽または哺乳類病原体の抗原を含む請求項２７に記載のキット。
【手続補正書】
【提出日】平成22年10月8日(2010.10.8)
【手続補正１】
【補正対象書類名】特許請求の範囲
【補正対象項目名】全文
【補正方法】変更
【補正の内容】
【特許請求の範囲】
【請求項１】
ヒト  レジスチンに結合し、そしてＮＦ−κｂ媒介型シグナリングをモジュレートすることができるレジスチン  アンタゴニスト。
【請求項２】
ヒト  レジスチンに結合し、そしてＭＣＰ−１、ＩＬ−８、ＩＬ−６およびＴＮＦ−αからなる群から選択される少なくとも１つの炎症性サイトカインのレジスチン媒介型放出を阻害することができるレジスチン  アンタゴニスト。
【請求項３】
ヒト  レジスチンに結合し、そしてコラーゲンＩ、アルファ平滑筋アクチン、ＴＧＦβ１、ＣＴＧＦ、ＴＧＦβＲ、ＰＤＧＦＲ、ＣＤ４４、フィブリリン、フィブロネクチンおよびＩＬ−６からなる群から選択される少なくとも１つの前線維性遺伝子発現のレジスチン媒介型誘導を阻害することができるレジスチン  アンタゴニスト。
【請求項４】
ヒト  レジスチンに結合し、そして繊維芽細胞機能をモジュレートすることができるレジスチン  アンタゴニスト。
【請求項５】
アンタゴニストが抗体である請求項１、２、３および４のいずれかに記載のレジスチン  アンタゴニスト。
【請求項６】
ヒト  レジスチンの残基５０〜６５（配列番号３）に位置するエピトープと反応性の単離された抗体。
【請求項７】
ヒト  レジスチンの残基７８〜９３（配列番号４）に位置するエピトープと反応性の単離された抗体。
【請求項８】
有効量の請求項５に記載のレジスチン  アンタゴニストおよび製薬学的に許容され得る担体または希釈剤を含んでなる製薬学的組成物。
【請求項９】
請求項５に記載のレジスチン  アンタゴニストを有効成分として含んでなる、哺乳動物におけるレジスチンの生物学的活性を修飾するための製薬学的製剤。
【請求項１０】
請求項５に記載のレジスチン  アンタゴニストを有効成分として含んでなる、間質性肺疾患、過形成性瘢痕、ケロイド性瘢痕、強皮症、肝線維症、腎線維症および心筋線維症を含む異常な繊維芽細胞活性がある疾患の症状を処置または緩和するための製薬学的製剤。
【請求項１１】
アミノ酸配列ＥＳＱＳＶＴＳＲＧＤＬＡＴＳＰＲ（配列番号５）を有するペプチドを含んでなる単離されたポリペプチド。
【請求項１２】
アミノ酸配列ＳＧＳＷＤＶＲＡＥＴＴＳＨＳＱＳ（配列番号６）を有するペプチドを含んでなる単離されたポリペプチド。
【請求項１３】
配列番号５のアミノ酸配列をコードする単離された核酸。
【請求項１４】
配列番号６のアミノ酸配列をコードする単離された核酸。
【請求項１５】
請求項５に記載のレジスチン  アンタゴニストを有効成分として含んでなる、変形性関節症の症状を処置または緩和するための製薬学的製剤。
【請求項１６】
患者の変形性関節症の危険性または進行を決定する方法であって：
ａ．患者に由来する生物学的サンプル中のレジスチンタンパク質のレベルを測定し、そして
ｂ．測定されたレジスチンレベルを集団における生物学的サンプル中のレジスチンレベルの標準と比較する、
ことを含んでなる上記決定法。
【請求項１７】
生物学的サンプルが滑液、血液、血清および血漿からなる群から選択される、請求項１６に記載の方法。
【手続補正書】
【提出日】平成22年10月25日(2010.10.25)
【手続補正１】
【補正対象書類名】特許請求の範囲
【補正対象項目名】全文
【補正方法】変更
【補正の内容】
【特許請求の範囲】
【請求項１】
腫瘍がＰＩ３Ｋ経路におけるタンパク質を標的とする治療薬に応答するかどうかを予測する方法であって、該腫瘍がＰＩＫ３ＣＡポリペプチドの活性化を生じさせるＰＩＫ３Ｒ１ポリヌクレオチド又はＰＩＫ３Ｒ１ポリペプチドにおける変異を含むかどうかを決定することを含み、変異の存在が該腫瘍が治療剤に応答するであろうことを示す、方法。
【請求項２】
腫瘍が固形腫瘍である、請求項１に記載の方法。
【請求項３】
腫瘍が結腸腫瘍である、請求項１に記載の方法。
【請求項４】
変異がＰＩＫ３Ｒ１ポリヌクレオチドにおけるヌクレオチド変異である、請求項１に記載の方法。
【請求項５】
ヌクレオチド変異がＰＩＫ３Ｒ１ポリヌクレオチドのコード化配列内に存在する、請求項４に記載の方法。
【請求項６】
ヌクレオチド変異が１７３２Ａにある、請求項５に記載の方法。
【請求項７】
変異がＰＩＫ３Ｒ１ポリペプチドにおけるアミノ酸変異である、請求項１に記載の方法。
【請求項８】
アミノ酸変異がＰＩＫ３Ｒ１ポリペプチドのＳＨ２ドメイン内に存在する、請求項７に記載の方法。
【請求項９】
アミノ酸変異が５６４Ｎにある、請求項８に記載の方法。
【請求項１０】
アミノ酸変異が５６４Ｎ＞Ｄである、請求項９に記載の方法。
【請求項１１】
治療薬がＰＩＫ３ＣＡポリペプチドを標的とする、請求項１に記載の方法。
【請求項１２】
ＰＩ３Ｋシグナリングのアンタゴニストを含む製剤の有効量を含む、ＰＩＫ３Ｒ１ポリペプチドにおけるアミノ酸変異を含む腫瘍を治療するための医薬であって、前記アミノ酸変異はＰＩＫ３ＣＡポリペプチドの活性化を生じさせる、医薬。
【請求項１３】
腫瘍が固形腫瘍である、請求項１２に記載の医薬。
【請求項１４】
腫瘍が結腸腫瘍である、請求項１２に記載の医薬。
【請求項１５】
アミノ酸変異がＰＩＫ３Ｒ１ポリヌクレオチドのコード化配列における変異により生じている、請求項１２に記載の医薬。
【請求項１６】
アミノ酸変異がＰＩＫ３Ｒ１ポリペプチドのＳＨ２ドメイン内に存在する、請求項１５に記載の医薬。
【請求項１７】
アミノ酸変異が５６４Ｎにある、請求項１６に記載の医薬。
【請求項１８】
アミノ酸変異が５６４Ｎ＞Ｄである、請求項１７に記載の医薬。
【請求項１９】
アンタゴニストがＰＩＫ３ＣＡポリペプチドのアンタゴニストである、請求項１２に記載の医薬。
【手続補正書】
【提出日】平成22年10月26日(2010.10.26)
【手続補正１】
【補正対象書類名】特許請求の範囲
【補正対象項目名】請求項１
【補正方法】変更
【補正の内容】
【請求項１】
一杯分の水性茶濃縮物の生成方法であって、
（ａ）一杯分の茶濃縮物を生成するのに充分な、ある量のばら粒子状茶材料を、濾過器
に配置する工程；
（ｂ）その量の茶材料を、一杯分の茶濃縮物を生成するのに充分な量の水と直接的に接
触させる工程であって、下記の各パラメータを調節して、茶材料から濃縮物へのタンニン
の抽出を最小限にする工程：
茶材料の粒度；
茶材料−水接触時間；
水の温度；
（ｃ）水性茶濃縮物が濾過器を通過したら、該濃縮物を収集し、それによって該濃縮物
を粒子状茶材料から分離する工程
を備える方法。
【手続補正２】
【補正対象書類名】明細書
【補正対象項目名】００２４
【補正方法】変更
【補正の内容】
【００２４】
出願人は、該方法において、茶材料の粒度を減少させることによって、水性濃縮物を生
成するための時間を増加させうることを見出した。しかし、茶材料をあまりに小さく（例
えば、粉末に）粉砕すると、粒子が凝集する傾向があり、濾過器を詰まらせる傾向がある
（特に、粉末の通過を防ぐために、微細フィルタを使用する必要がある場合）。したがっ
て、細かすぎる粉末は、過剰な浸漬および過剰なタンニン抽出を生じうる。逆に、
茶材料が大きすぎる場合、水が葉を通って流れるのが速すぎるか、または不充分に葉表面
と接触し、薄い茶を生じる。このように、茶材料粒度および接触時間は、相互に関連し、
制御する必要がある。
【手続補正３】
【補正対象書類名】明細書
【補正対象項目名】００４５
【補正方法】変更
【補正の内容】
【００４５】
第４の態様において、茶濃縮物を生成する道具を開示し、該道具は下記を備える：第２
の態様において記載した装置、ならびに、第１の態様の方法によって一杯分の茶濃縮物を
生成するための粒子状茶材料の少なくとも１測定量、および濾過器を通過した後の茶濃縮物を収集する容器。
【手続補正４】
【補正対象書類名】明細書
【補正対象項目名】００５３
【補正方法】変更
【補正の内容】
【００５３】
抽出段階の間に、沸騰水またはほぼ沸騰した水１８を、図１に茶ブレンド２０として一
般的に示されているある量のばら粒子状茶材料と直接的に接触させる。「ほぼ沸騰」とい
う用語は、茶材料に接触した際に約９５〜１００℃の温度を有する水を意味するものとす
る。何らかのエスプレッソマシン出口から得られる水は、この範囲にあると考えられる。
出願人は、意外にも、特定の等級のバラ粒子状茶材料を沸騰水またはほぼ沸騰した水に制
御された時間にわたって直接的に接触させることによって、最小限のまたは著しく減少し
たタンニン抽出を伴って濃い茶濃縮物を生成できることを見出した。沸騰水またはほぼ沸
騰した水１８が、茶ブレンドの隙間を通って流れると共に、茶香味成分（例えば、テアニ
ンなど）が茶葉から水に放出され（または、徐々に濾し出され）、それによって、保留タ
ンニンを有する残留茶材料滓から分離している水性茶濃縮物２２を生じる。水性濃縮物を濾過１２し、得られた茶濃縮物２６を直接的に使用することができ、または後の使用または
さらなる処理のために保存することができる。
【手続補正書】
【提出日】平成22年6月21日(2010.6.21)
【手続補正１】
【補正対象書類名】特許請求の範囲
【補正対象項目名】全文
【補正方法】変更
【補正の内容】
【特許請求の範囲】
【請求項１】
ある種のイヌに対して安全かつ機能的に有効なイヌ用経口製品の設計法であって、
前記ある種のイヌの能力についての生体計測学的分析に基づき、製品を配合および／または成形する工程を有してなる方法。
【請求項２】
複数の種類のイヌに対して安全かつ機能的に有効なイヌ用経口製品の設計法であって、
少なくとも２種類のイヌの能力の生体計測学的分析に基づき、該少なくとも２種類のイヌ用に、１つの製品ラインに属する少なくとも２種類の製品を調製する工程を有してなり、
前記少なくとも２種類の製品が、生体計測学的分析に基づいた異なるテクスチャーおよび／または形状を有することを特徴とする方法。  
【請求項３】
ある種のイヌに対して安全かつ機能的に有効なイヌ用経口製品のマーケティング法であって、
前記ある種のイヌの能力についての生体計測学的分析に基づき、製品のマーケティングを行う工程を有してなる方法。
【請求項４】
複数の種のイヌに対して安全かつ機能的に有効なイヌ用経口製品のマーケティング法であって、
少なくとも２種類のイヌの能力の生体計測学的分析に基づき、該少なくとも２種類のイヌ用に、１つの製品ラインに属する少なくとも２種類の製品をマーケティングする工程を有してなり、
前記少なくとも２種類の製品が、生体計測学的分析に基づいた異なるテクスチャーおよび／または形状を有することを特徴とする方法。  
【請求項５】
前記イヌの種が、頭蓋種に従って定義されることを特徴とする請求項１から４いずれか１項記載の方法。
【請求項６】
前記イヌの種が、血統に従って定義されることを特徴とする請求項１から４いずれか１項記載の方法。
【請求項７】
前記イヌの種が、年齢に従って定義されることを特徴とする請求項１から４いずれか１項記載の方法。
【請求項８】
前記イヌの種が、体重に従って定義されることを特徴とする請求項１から４いずれか１項記載の方法。
【請求項９】
前記イヌの種が、咀嚼型に従って定義されることを特徴とする請求項１から４いずれか１項記載の方法。
【請求項１０】
前記分析されるイヌの能力が、咬合力であることを特徴とする請求項１から４いずれか１項記載の方法。
【請求項１１】
ａ．一連の変数を測定し、
ｂ．以下の式に従い、前記変数を用いて咬合力ＢＦを計算し、
ＢＦ＝２（Ｍ*ｍ＋Ｔ*ｔ）／ｏ
ｃ．前記ＢＦをテクスチャーおよび／または形状のうちの少なくとも１つの特徴に転換し、
ｄ．前記少なくとも１つの特徴を満たすように材料を選択し、および
ｅ．前記材料を用いてイヌ用経口製品を形成する、工程を含み、
Ｍは、咀嚼筋／内側翼状筋*３０Ｍｐａに比例する面積であり、Ｔは、側頭筋*３０Ｍｐａに比例する面積であり、ｍはＭに対する応力中心距離であり、ｏは顎の長さであり、また、ｔはＴに対する応力中心距離であることを特徴とする、請求項１０記載の方法。
【請求項１２】
前記分析する能力が、開口であることを特徴とする請求項１から４いずれか１項記載の方法。
【請求項１３】
前記分析する能力が、咀嚼表面であることを特徴とする請求項１から４いずれか１項記載の方法。
【請求項１４】
前記分析する能力が、歯の形状であることを特徴とする請求項１から４いずれか１項記載の方法。
【請求項１５】
前記製品が、可食性チュー、非可食性チュー、可食性スナックまたはおやつ、おもちゃ、ならびにキブルを含むことを特徴とする請求項１から４いずれか１項記載の方法。
【請求項１６】
前記製品の機能が、口腔ケア、咀嚼の楽しみまたは占有であることを特徴とする請求項１から４いずれか１項記載の方法。  
【請求項１７】
前記生体計測学的分析が、コンピューター処理装置を用いて行われることを特徴とする請求項１から４いずれか１項記載の方法。
【請求項１８】
ある種のイヌに対して安全かつ機能的に有効なイヌ用経口製品の調製法であって、
ａ．イヌの頭蓋種を選択し、
ｂ．イヌの大きさを選択し、
ｃ．イヌの口腔内での所望の咀嚼位置を選択し、
ｄ．ａ〜ｃの選択項目に基づいて咬合力を決定し、
ｅ．特定の種のイヌの咬合力に適合したイヌ用チューを調製する、各工程を有してなる方法。
【手続補正書】
【提出日】平成22年7月12日(2010.7.12)
【手続補正１】
【補正対象書類名】特許請求の範囲
【補正対象項目名】全文
【補正方法】変更
【補正の内容】
【特許請求の範囲】
【請求項１】
ａ．）配列番号２および配列番号３からなる群から選択された、Δ１７デサチュラーゼ酵素をコードする単離されたヌクレオチド分子、
ｂ．）０．１×ＳＳＣ、０．１％ＳＤＳで６５℃、および２×ＳＳＣ、０．１％ＳＤＳで洗浄後、０．１×ＳＳＣ、０．１％ＳＤＳというハイブリダイゼーション条件下で（ａ）とハイブリダイズする単離されたヌクレオチド分子、または
（ａ）または（ｂ）と完全に相補的な単離されたヌクレオチド分子
からなる群から選択された単離された核酸分子。
【請求項２】
配列番号１および配列番号４からなる群から選択された、Δ１７デサチュラーゼ酵素をコードする単離された核酸分子。
【請求項３】
請求項１に記載の単離された核酸分子によってコードされた、Δ１７デサチュラーゼ酵素をコードするポリペプチド。
【請求項４】
配列番号２および配列番号３からなる群から選択された、Δ１７デサチュラーゼ酵素をコードするポリペプチド。
【請求項５】
Ｃｌｕｓｔａｌ  Ｗアルゴリズムに基づいて配列番号２に示される配列を有するポリペプチドと比較すると、少なくとも７５．３％の同一性を有する少なくとも３５９個のアミノ酸のΔ１７デサチュラーゼ酵素をコードする第１のヌクレオチド配列、または第１のヌクレオチド配列の相補体を含んでなる第２のヌクレオチド配列を含んでなる単離された核酸分子。
【請求項６】
適切な制御配列と作動可能に連結する、請求項１に記載の単離された核酸分子を含んでなるキメラ遺伝子。
【請求項７】
請求項１に記載の単離された核酸分子を含んでなる形質転換宿主細胞。
【請求項８】
ａ）ｉ）クラスタルダブル（Ｃｌｕｓｔａｌ  Ｗ）を用いたアライメント法に基づいて配列番号２に示されるアミノ酸配列を有するポリペプチドと比較すると、少なくとも７５．３％の同一性を有する二機能性Δ１７／Δ１５デサチュラーゼポリペプチドをコードする単離されたヌクレオチド分子、および
ii）リノール酸、エイコサジエン酸、ジホモ−γ−リノレン酸、およびアラキドン酸よりなる群から選択された少なくとも１つの基質脂肪酸源
を含んでなる宿主細胞を提供する工程と、
ｂ）二官能性Δ１７／Δ１５デサチュラーゼポリペプチドをコードする核酸分子が発現して、少なくとも１つの基質脂肪酸が少なくとも１つの生成物脂肪酸に転換され、反応が、
リノール酸のα−リノレン酸への転換、
エイコサジエン酸のエイコサトリエン酸への転換、
ジホモ−γ−リノレン酸のエイコサテトラエン酸への転換、および
アラキドン酸のエイコサペンタエン酸への転換
よりなる群から選択される条件下で、工程（ａ）の宿主細胞を成長させる工程と、
ｃ）場合により工程（ｂ）の生成物脂肪酸の少なくとも１つを回収する工程と
を含んでなる、多価不飽和脂肪酸を製造する方法。
【請求項９】
ａ）ＦＴＸＧＨＤＸＧＨ（配列番号９６）、
ｂ）ＨＲＨＨＨＫＮＴＧ（配列番号９７）、および
ｃ）ＩＧＴＨＱＸＨＨＬＦＰ（配列番号９８）
からなる群から選択された少なくとも１つのアミノ酸配列モチーフを含んでなるΔ１７デサチュラーゼポリペプチドをコードする核酸配列を含んでなり、
Ｘがあらゆるアミノ酸となることができ、
Δ１７デサチュラーゼポリペプチドが配列番号４３および９５に示されるアミノ酸配列を有さない、単離された核酸断片。
【請求項１０】
配列番号９６〜９８からなる群から選択された少なくとも１つのアミノ酸モチーフを含んでなる、Δ１７デサチュラーゼポリペプチド。
【請求項１１】
配列番号９６〜９８からなる群から選択されたアミノ酸モチーフをコードするΔ１７デサチュラーゼポリペプチドを同定するのに有用な単離された核酸分子コード。
【請求項１２】
ａ）ｉ）配列番号９６〜９８からなる群から選択されたアミノ酸配列をコードする単離された核酸断片、または
ii）（ｉ）に相補的な単離された核酸断片
でゲノムライブラリをプローブする工程と、
ｂ）工程（ａ）の核酸断片とハイブリダイズするＤＮＡクローンを同定する工程と、
ｃ）工程（ｂ）で同定されたクローンを含んでなるゲノム断片を配列決定する工程と
を含んでなり、配列決定されたゲノム断片がΔ１７デサチュラーゼポリペプチドをコードする、Δ１７デサチュラーゼポリペプチドを同定および単離する方法。
【請求項１３】
ａ）配列番号９６〜９８からなる群から選択されたアミノ酸モチーフをコードする単離された核酸配列の一部に対応する、少なくとも１つのオリゴヌクレオチドプライマーを合成する工程と、
ｂ）工程（ａ）のオリゴヌクレオチドプライマーを使用してクローニングベクター中に存在する挿入断片を増幅する工程と
を含んでなり、増幅された挿入断片がΔ１７デサチュラーゼ酵素をコードするアミノ酸配列の一部をコードする、Δ１７デサチュラーゼポリペプチドを同定および単離する方法。